(57)【要約】【課題】使用者にとってより適したマットレスを選定可能なシステムを提供する。【解決手段】マットレス選定システムは、硬さの異なる複数種類の支持層部のうちのいずれかと、支持層部の上に配置される厚みまたは素材の異なる複数種類の表層部のいずれかとを組み合わせて使用者に適したマットレスを選定するものである。このマットレス選定システムは、使用者の肥満度または体重と骨盤状態とを取得する取得部と、取得された肥満度または体重に基づいて複数種類の支持層部のうちのいずれかを選択すると共に、取得された骨盤状態に基づいて複数種類の表層部のうちのいずれかを選択する選択部と、選択された支持層部の種類と表層部の種類とを出力する出力部と、を備える。【選択図】図７
2019136322.tif 000002
【特許請求の範囲】
【請求項１】
硬さの異なる複数種類の支持層部のうちのいずれかと、前記支持層部の上に配置される厚みまたは素材の異なる複数種類の表層部のいずれかとを組み合わせて使用者に適したマットレスを選定するマットレス選定システムであって、
前記使用者の肥満度または体重と骨盤状態とを取得する取得部と、
前記取得された前記肥満度または前記体重に基づいて前記複数種類の支持層部のうちのいずれかを選択すると共に、前記取得された前記骨盤状態に基づいて前記複数種類の表層部のうちのいずれかを選択する選択部と、
前記選択された支持層部の種類と表層部の種類とを出力する出力部と、
を備えるマットレス選定システム。
【請求項２】
請求項１に記載のマットレス選定システムであって、
前記選択部は、前記骨盤状態が反り腰傾向の強い状態と判断されるほど厚みが厚い表層部を選択する、
マットレス選定システム。
【請求項３】
請求項１または２に記載のマットレス選定システムであって、
前記取得部は、更に前記使用者の首の状態を取得し、
前記選択部は、更に前記マットレスと組み合わせる複数種類の枕のうち、前記取得された首の状態が猫背傾向の強い状態と判断されるほど高さの高い枕を選択し、
前記出力部は、前記選択された枕の種類を出力する、
マットレス選定システム。
【請求項４】
請求項１ないし３いずれか１項に記載のマットレス選定システムであって、
前記取得部は、更に前記使用者の寝姿勢として仰向けおよび横向きのいずれかを取得し、
前記選択部は、前記取得された前記寝姿勢が横向きのときには仰向けのときに比して硬さが軟らかい支持層部を選択する、
マットレス選定システム。
【請求項５】
請求項１ないし４いずれか１項に記載のマットレス選定システムであって、
前記使用者の背中の形状を非接触により計測する非接触計測装置を備え、
前記取得部は、前記非接触計測装置により計測された背中の形状に基づいて前記骨盤状態を取得する、
マットレス選定システム。
【発明の詳細な説明】
【技術分野】
【０００１】
本発明は、複数種類の支持層部のうちのいずれかと複数種類の表層部のいずれかとを組み合わせて使用者に適したマットレスを選定するマットレス選定システムに関する。
【背景技術】
【０００２】
従来、この種のマットレス選定システムとしては、使用者の体形を計測し、計測した体形に基づいて使用者に適した硬さの寝具（マットレス）を選定するものが提案されている（例えば、特許文献１参照）。このシステムでは、被測定者の背中の凹凸形状（腰部の凹み量および背部の突出量）を計測すると共に、被測定者の身長と体重を計測してその肥満度（ＢＭＩ）を求め、計測した背中の凹凸形状と求めた肥満度とに基づいて被測定者に適した硬さの寝具を選定している。
【先行技術文献】
【特許文献】
【０００３】
【特許文献１】特開２００３−２１９９３５号公報
【発明の概要】
【発明が解決しようとする課題】
【０００４】
しかしながら、上述した選定システムのように単に寝具の硬さを選択するだけでは、必ずしも使用者にとって適した寝具とはならない場合がある。例えば、肥満度が高く反り腰傾向にある使用者に対しては、上述した選定システムでは、体重をしっかりと支えるために硬いマットレスが推奨されるが、この場合、仰向け寝をしたときに腰が浮いた状態となり易く、腰痛を引き起こす虞がある。
【０００５】
本発明のマットレス選定システムは、使用者にとってより適したマットレスを選定可能なシステムを提供することを主目的とする。
【課題を解決するための手段】
【０００６】
本発明のマットレス選定システムは、上述の主目的を達成するために以下の手段を採った。
【０００７】
本発明のマットレス選定システムは、
硬さの異なる複数種類の支持層部のうちのいずれかと、前記支持層部の上に配置される厚みまたは素材の異なる複数種類の表層部のいずれかとを組み合わせて使用者に適したマットレスを選定するマットレス選定システムであって、
前記使用者の肥満度または体重と骨盤状態とを取得する取得部と、
前記取得された前記肥満度または前記体重に基づいて前記複数種類の支持層部のうちのいずれかを選択すると共に、前記取得された前記骨盤状態に基づいて前記複数種類の表層部のうちのいずれかを選択する選択部と、
前記選択された支持層部の種類と表層部の種類とを出力する出力部と、
を備えることを要旨とする。
【０００８】
本発明のマットレス選定システムは、硬さの異なる複数種類の支持層部のうちのいずれかと、前記支持層部の上に配置される厚みまたは素材の異なる複数種類の表層部のいずれかとを組み合わせて使用者に適したマットレスを選定するものである。このマットレス選定システムでは、使用者の肥満度または体重に基づいて複数種類の支持層部のうちのいずれかを選択し、使用者の骨盤状態に基づいて複数種類の表層部のうちのいずれかを選択する。このように、使用者の肥満度毎または体重毎の支持層部と、骨盤状態毎の表層部とを別々に選択して両者を組み合わせることで、使用者にとってより適したマットレスの選定が可能となる。ここで、骨盤状態とは、前傾状態や後傾状態などの状態（骨盤角度）を意味する。
【０００９】
こうした本発明のマットレス選定システムにおいて、前記選択部は、前記骨盤状態が反り腰（骨盤が前傾）傾向の強い状態と判断されるほど厚みが厚い表層部を選択するものとしてもよい。こうすれば、腰部が浮かず、腰部の負担の少ないマットレスを選定することができる。
【００１０】
また、本発明のマットレス選定システムにおいて、前記取得部は、更に前記使用者の首の状態を取得し、前記選択部は、更に前記マットレスと組み合わせる複数種類の枕のうち、前記取得された首の状態が猫背（首が前傾）傾向の強い状態と判断されるほど高さの高い枕を選択し、前記出力部は、前記選択された枕の種類を出力するものとしてもよい。こうすれば、枕とマットレスとの組み合わせにより、使用者により適した寝具を提供することが可能となる。
【００１１】
さらに、本発明のマットレス選定システムにおいて、前記取得部は、更に前記使用者の寝姿勢として仰向けおよび横向きのいずれかを取得し、前記選択部は、前記取得された前記寝姿勢が横向きのときには仰向けのときに比して硬さが軟らかい支持層部を選択するものとしてもよい。こうすれば、仰向け寝と横向き寝とでそれぞれ専用の支持層部を用意することなく、いずれの寝姿勢にも適切に対応することが可能となる。
【００１２】
また、本発明のマットレス選定システムにおいて、前記使用者の背中の形状を非接触により計測する非接触計測装置を備え、前記取得部は、前記非接触計測装置により計測された背中の形状に基づいて前記骨盤状態を取得するものとしてもよい。こうすれば、接触式の計測装置を用いる場合に比して、使用者の背中の形状を計測する際の使用者の負担を低減させることができる。
【図面の簡単な説明】
【００１３】
【図１】本発明の一実施形態としてのマットレス選定システム２０の構成の概略を示す構成図である。
【図２】マットレス５０の分解斜視図である。
【図３】マットレス５０の断面図である。
【図４】ピロー６０の外観図である。
【図５】マットレスデータの一例を示す説明図である。
【図６】ピローデータの一例を示す説明図である。
【図７】選定処理の一例を示すフローチャートである。
【図８】マットレスゾーン設定用テーブルの一例を示す説明図である。
【図９】ピローゾーン設定用テーブルの一例を示す説明図である。
【図１０】選定結果表示画面の一例を示す説明図である。
【発明を実施するための形態】
【００１４】
本発明を実施するための形態について図面を参照しながら説明する。
【００１５】
図１は本発明の一実施形態としてのマットレス選定システム２０の構成の概略を示す構成図である。また、図２はマットレス５０の分解斜視図であり、図３はマットレス５０の断面図であり、図４はピロー６０の外観図である。
【００１６】
マットレス選定システム２０の選定対象となるマットレス５０は、ベッドの床板に載置されて使用され、図２，図３に示すように、周縁部５２ａを除く表面側に略立方体状に凹んだ凹部５２ｂを有するベース部材５２と、ベース部材５２の凹部５２ｂに挿入される支持層部としてのクッション部材５４と、ベース部材５２の周縁部５２ａとクッション部材５４とを覆う表層部としての上カバー部材５６とにより構成されている。ベース部材５２の側面および底面は、箱形の下カバー部材５８で覆われており、下カバー部材５８は、図示しないファスナによって上カバー部材５６と連結される。
【００１７】
ベース部材５２は、例えば高密度ウレタンにより形成されている。このベース部材５２は、それぞれ硬さの異なるウレタン素材により形成された複数種類のベース部材５２が用意されている。複数種類のベース部材５２は、本実施形態では、「かなり柔らかめ」，「柔らかめ」，「標準」，「硬め」の４タイプが用意されている。
【００１８】
クッション部材５４は、本実施形態では、使用者Ｍの肩から臀部付近までを支持するヘッド側クッション部材と、使用者Ｍの足部を支持するフット側クッション部材の２つに分割されている。なお、クッション部材５４は、３つ以上に分割されてもよいし、分割されていなくてもよい。
【００１９】
各クッション部材５４は、いずれも、図３に示すように、平板形状の台座部５４ａと、台座部５４ａの上面に所定間隔を隔てて立設された多数の柱状部材５４ｂと、全体を覆う図示しないカバー部材とを備える。台座部５４ａは、発砲ウレタンにより形成されている。柱状部材５４ｂは、円柱状に形成され、底面が接着材により台座部５４ａに接着されている。柱状部材５４ｂは、低硬度エラストマ樹脂（例えば、スチレン系エラストマ樹脂やウレタン系エラストマ樹脂、エチレン系エアストマ樹脂など）により台座部５４ａよりも小さい硬度で弾性変形が可能に形成されている。この柱状部材５４ｂは、上面（受圧面）に荷重が加えられると、荷重が大きくなるにつれて、受圧面の面積が増加すると共に柱状部材５４ｂの高さが低くなるように弾性変形する。そして、受圧面に加わる荷重がある一定荷重以上に達すると、隣接する柱状部材５４ｂ同士が接触し、これ以上、柱状部材５４ｂの高さが変化しなくなる。これにより、マットレス５０として使用された場合に、クッション部５４に対して大きな荷重（臀部などからの荷重）が加わっても、クッション部材５４の沈み込み量を一定の範囲内に制限することができる。また、柱状部材５４ｂが使用者Ｍの体形に合わせて密着するため、体圧分散を効果的に行なうことができ、快適な使用感を提供することができる。なお、柱状部材５４ｂは、本実施形態では、円柱状に形成されるものとしたが、その形状は、角柱であってもよいし、楕円柱であってもよい。また、柱状部材５４ｂは、エラストマ樹脂により形成されるものに限られず、発泡ゴムや、内部に流体やゲルを詰めた袋体などにより形成されてもよい。本実施形態のマットレス５０は、ベース部材５２とクッション部材５４とにより使用者の体重を支える支持層部が構成され、ベース部材５２を複数種類の中から選択することで、支持層部を使用者に適した硬さに変更することが可能である。
【００２０】
上カバー部材５６は、本実施形態では、厚みと素材とが異なる複数種類のカバー部材が用意されている。本実施形態では、上カバー部材５６として、「少し薄め」，「標準」および「少し厚め」の３つのタイプが用意されている。なお、「少し薄め」は、例えば、表布地部と裏布地部と両者の間にわたが配置されたキルト部として構成されている。「標準」は、例えば、「少し薄め」の表布地部と裏布地部との間にウレタンシートが挿入されたキルト部として構成されている。「少し厚め」は、例えば、「少し薄め」の下層にポリエチレンなどの樹脂繊維を３次元状に編むことにより形成された繊維構造体が挿入されたものとして構成されている。上カバー部材５６は、厚いタイプほど使用者Ｍの身体の凹凸にフィットしやすくなっている。
【００２１】
マットレス５０に組み合わされるピロー６０は、ピロー本体６２とスペーサ６４とを有する。スペーサ６４は、ピロー本体６２の底に敷いてピロー６０の高さを調整する調整シートであり、本実施形態では、厚みが５ｍｍの調整シート６４ａと、厚みが１０ｍｍの調整シート６４ｂとが用意されている。したがって、ピロー本体６２に調整シート６４ａを１枚敷くことでピロー６０の高さを標準よりも５ｍｍ上げることができ、調整シート６４ｂを１枚敷くことでピロー６０の高さを標準よりも１０ｍｍ上げることができ、調整シート６４ａ，６４ｂを１枚ずつ重ねて敷くことでピロー６０の高さを標準よりも１５ｍｍ上げることができる。勿論、スペーサ６４を敷かなければ、ピロー６０を標準の高さで使用することができる。
【００２２】
実施形態のマットレス選定システム２０は、複数種類のクッション部材５４のいずれかと、複数種類のマットレスシート部材５６のいずれかとを組み合わせて使用者Ｍに適したマットレス５０を選定すると共にマットレス５０に組み合わせるピロー６０を選定するものである。このマットレス選定システム２０は、図１に示すように、使用者Ｍの体形（主に背中の凹凸）を計測する３次元計測装置２２と、コンピュータ３０とを備える。
【００２３】
３次元計測装置２２は、図示しないが、被計測者（使用者Ｍ）に対して赤外線による所定パターンの構造化光を投影する構造化光照射装置や、被計測者を撮像する赤外線カメラなどを有し、三角測量を用いて撮像画像上の各点の位置（深度）を計測するものである。
【００２４】
コンピュータ３０は、図示しないＣＰＵ，ＲＯＭ，ＲＡＭ，ハードディスクドライブやフラッシュメモリドライブ（ＳＳＤ）など外部記憶装置、各種インタフェースを有する汎用のコンピュータとして構成されており、液晶ディスプレイなどの表示装置４２や入力装置としてのキーボード４４やマウスなどと接続して使用される。コンピュータ３０には、使用者Ｍに適したマットレス５０とピロー６０とを複数種類の中から選定するための選定用のプログラムがインストールされている。コンピュータ３０は、機能ブロックとしては、入力部３２と、マットレスデータ記憶部３４と、ピローデータ記憶部３５と、選定部３６と、表示制御部３８とを有しており、各機能ブロックは、コンピュータ３０のＣＰＵ，ＲＯＭ，ＲＡＭ，外部記憶装置および各種インタフェースなどのハードウエアと、インストールされた選定用プログラムを含むソフトウエアとが一体となって機能する。入力部３２は、キーボード４４やマウスなどからの必要な使用者情報（使用者Ｍの身長や体重、主な寝姿勢など）や、３次元計測装置２２により計測された３次元計測データを入力する。また、マットレスデータ記憶部３４には、図５に示すように、寝姿勢と使用者の分類情報（ゾーン，マットレスゾーンＺｍ）と上カバー部材５６（表層部素材）の厚みとクッション部材５４（支持層部素材）の厚みと商品名とが互いに対応付けられて記憶されている。ピローデータ記憶部３５は、図６に示すように、寝姿勢と使用者の分類情報（ゾーン，ピローゾーンＺｐ）と枕高さと商品名と調整シートの有無（５ｍｍの調整シート６４ａの有無，１０ｍｍの調整シート６４ｂの有無）とが互いに対応付けられて記憶されている。マットレスデータ記憶部３４およびピローデータ記憶部３５の各データは、データベース化されており、商品ラインナップの変更や製品仕様の変更に伴って適宜、データの削除や変更，追加が可能となっている。選定部３６は、使用者Ｍの体形によって複数のゾーン（マットレスゾーンＺｍ，ピローゾーンＺｐ）に分類し、各ゾーンに応じてマットレス５０のクッション部材５４の硬さおよび上カバー部材５６の厚みとピロー６０の高さとをそれぞれ予め用意された複数種類の中から選定する。表示制御部３８は、使用者情報を入力するための画面を表示装置４２に表示したり、選定部３６による選定結果を表示装置４２に表示したりするための表示制御を行なう。
【００２５】
次に、こうして構成されたマットレス選定システム２０の動作、特に、選定部３６の動作について説明する。図７は、コンピュータ３０の選定部３６により実行される選定処理の一例を示すフローチャートである。この処理は、オペレータからの指示に基づいて実行される。
【００２６】
選定処理が実行されると、コンピュータ３０は、まず、入力部３２を介して使用者Ｍの身長（ｍ），体重（ｋｇ）および寝姿勢ＳＰなどの選定に必要なデータを入力する（ステップＳ１００）。なお、寝姿勢ＳＰは、仰向けと横向きのとのうち使用者Ｍに選択されたものを入力するものとした。続いて、使用者Ｍの身長および体重に基づいて例えば体重を身長の２乗で除して肥満度（ＢＭＩ）を計算する（ステップＳ１１０）。次に、３次元計測装置２２により形成された使用者Ｍの３次元計測データを入力し（ステップＳ１２０）、入力した３次元計測データに基づいて使用者Ｍの骨盤角度θｐおよび首の角度θｎを計算する（ステップＳ１３０）。なお、骨盤角度θｐは、骨盤の前傾状態（反り腰）や後傾状態（フラットバック）を判断するためのパラメータであり、３次元計測データ（人体の各計測点の座標）に基づいて、例えば、使用者Ｍの側面視において、臀部の最も突出した点と腰部の最も凹んだ点とを結んだ線の鉛直面に対してなす角度により計算される。また、首の角度θｎは、首の前傾状態（猫背）を判断するためのパラメータであり、３次元計測データに基づいて、例えば、首の付け根部と頭部中心とを結んだ線の鉛直面に対してなす角度により計算される。
【００２７】
そして、ステップＳ１００で入力した寝姿勢ＳＰとステップＳ１１０で計算した肥満度（ＢＭＩ）とステップＳ１３０で計算した骨盤角度θｐとに基づいてマットレス５０を選定するための使用者Ｍの分類であるマットレスゾーンＺｍを設定する（ステップＳ１４０）。図８は、マットレスゾーン設定用テーブルの一例を示す説明図である。図示するように、マットレスゾーン設定用テーブルは、寝姿勢ＳＰが仰向けの仰向け用マットレスゾーン設定用テーブル（図８（ａ）参照）と、寝姿勢ＳＰが横向きの横向き用マットレスゾーン設定用テーブル（図８（ｂ）参照）とを有する。仰向け用マットレスゾーン設定用テーブルは、肥満度（ＢＭＩ）を小（痩せ），中（標準），大（肥満）の３つに区分けすると共に骨盤角度θｐを小（フラットバック），中（正常），大（反り腰）の３つに区分けし、それぞれの組み合わせにより合計９つのゾーンに分類される。横向き用マットレスゾーン設定用テーブルについても同様である。例えば、寝姿勢ＳＰが仰向けであり肥満度（ＢＭＩ）が大（肥満）であり骨盤角度θｐが大（反り腰）である場合には、マットレスゾーンＺｍとして「Ｃ３」が設定される。なお、マットレスゾーン設定用テーブルは、９つのゾーンに区分けしたが、区分けの数は幾つであっても構わない。
【００２８】
マットレスゾーンＺｍを設定すると、設定したマットレスゾーンＺｍに対応するクッション部材５４（支持層部素材）の硬さ，上カバー部材５６（表層部素材）の厚みおよび推奨する商品名を図５に示すマットレスデータ記憶部３４から読み出す（ステップＳ１５０）。クッション部材５４の硬さは、寝姿勢ＳＰが仰向けの場合、図５および図８（ａ）に示すように、肥満度（ＢＭＩ）が小（痩せ）のとき、即ちマットレスゾーンＺｍがＡ１，Ａ２またはＡ３のときには、「柔らかめ」が選択され、肥満度（ＢＭＩ）が中（標準）のとき、即ちマットレスゾーンＺｍがＢ１，Ｂ２またはＢ３のときには、「柔らかめ」と「標準」とが選択され、肥満度（ＢＭＩ）が大（肥満）のとき、即ちマットレスゾーンＺｍがＣ１，Ｃ２またはＣ３のときには、「硬め」が選択される。一方、寝姿勢ＳＰが横向きの場合、図５および図８（ｂ）に示すように、肥満度（ＢＭＩ）が小（痩せ）のとき、即ちマットレスゾーンＺｍがＡ４，Ａ５またはＡ６のときには、「かなり柔らかめ」が選択され、肥満度（ＢＭＩ）が中（標準）のとき、即ちマットレスゾーンＺｍがＢ４，Ｂ５またはＢ６のときには、「柔らかめ」と「標準」とが選択され、肥満度（ＢＭＩ）が大（肥満）のとき、即ちマットレスゾーンＺｍがＣ４，Ｃ５またはＣ６のときには、「標準」と「硬め」が選択される。このように、クッション部材５４（支持層素材）の硬さは、肥満度（ＢＭＩ）が大きいほど硬いものが選択される。これにより、使用者Ｍの体重をしっかりと支えることができ、荷重の大きい部位（臀部）の過剰な沈み込みを抑制することができる。また、寝姿勢ＳＰが横向きの場合には、肩部をある程度沈み込ませて横寝の姿勢を無理なくとれるように仰向けの場合に比して柔らかいものが選択される。
【００２９】
また、上カバー部材５６の厚みは、寝姿勢ＳＰが仰向けの場合、図５および図８（ａ）に示すように、骨盤角度θｐが小（フラットバック）のとき、即ちマットレスゾーンＺｍがＡ１，Ｂ１またはＣ１のときには、「少し薄め」が選択され、骨盤角度θｐが中（正常）のとき、即ちマットレスゾーンＺｍがＡ２，Ｂ２またはＣ２のときには、「標準」が選択され、骨盤角度θｐが大（反り腰）のとき、即ちマットレスゾーンＺｍがＡ３，Ｂ３またはＣ３のときには、「少し厚め」が選択される。一方、寝姿勢ＳＰが横向きの場合、図５および図８（ｂ）に示すように、骨盤角度θｐが小（フラットバック）のとき、即ちマットレスゾーンＺｍがＡ４，Ｂ４またはＣ４のときには、「少し薄め」が選択され、骨盤角度θｐが中（正常）のとき、即ちマットレスゾーンＺｍがＡ５，Ｂ５またはＣ５のときには、「標準」が選択され、骨盤角度θｐが大（反り腰）のとき、即ちマットレスゾーンＺｍがＡ６，Ｂ６またはＣ６のときには、「少し厚め」が選択される。このように、上カバー部材５６の厚みは、肥満度（ＢＭＩ）とは無関係に、反り腰の傾向が強いほど、厚いものが選択される。また、本実施形態では、上カバー部材５６の厚みは、図５に示すように、寝姿勢ＳＰが仰向けであっても横向きであっても、同じ骨盤角度θｐにおいては同じ厚みが選択されるものとした。
【００３０】
ここで、例えば、肥満度（ＢＭＩ）が大（肥満）の使用者Ｍに対しては、クッション部材５４（支持層素材）として「硬め」が選択されるが、同時に骨盤角度θｐが大（反り腰）であると、腰部が浮いて腰部への負担が過大となる虞がある。本実施形態では、骨盤角度θｐが大（反り腰）の使用者Ｍに対しては、上カバー部材５６（表層素材）として「厚め」が選択されるため、硬めのクッション部材５４で使用者Ｍの体重をしっかりと支えつつ、上カバー部材５６で腰部の凹凸にフィットさせて腰部の負担を軽減させることができる。このように、使用者Ｍの肥満度（ＢＭＩ）毎のクッション部材５４と、骨盤角度θｐ毎の上カバー部材５６とを別々に選択して両者を組み合わせることで、使用者Ｍにとってより適したマットレス５０を選定することができるのである。
【００３１】
次に、ステップＳ１００で入力した寝姿勢ＳＰとステップＳ１１０で計算した肥満度（ＢＭＩ）とステップＳ１３０で計算した首の角度θｎとに基づいてピロー６０を選定するための使用者Ｍの分類であるピローゾーンＺｐを設定する（ステップＳ１６０）。図９は、ピローゾーン設定用テーブルの一例を示す説明図である。図示するように、ピローゾーン設定用テーブルは、寝姿勢ＳＰが仰向けの仰向け用ピローゾーン設定用テーブル（図９（ａ）参照）と、寝姿勢ＳＰが横向きの横向き用ピローゾーン設定用テーブル（図９（ｂ）参照）とを有する。仰向け用ピローゾーン設定用テーブルは、肥満度（ＢＭＩ）を小（痩せ），中（標準），大（肥満）の３つに区分けすると共に首の角度θｎ（猫背傾向）を小（正常），中（やや有り），大（有り）の３つに区分けし、それぞれの組み合わせにより合計９つのゾーンに分類される。横向き用ピローゾーン設定用テーブルについても同様である。例えば、寝姿勢ＳＰが仰向けであり肥満度（ＢＭＩ）が大（肥満）であり首の角度θｎが大（有り）である場合には、ピローゾーンＺｐとして「ｃ３」が設定される。なお、ピローゾーン設定用テーブルは、９つのゾーンに区分けしたが、区分けの数は幾つであっても構わない。
【００３２】
ピローゾーンＺｐを設定すると、設定したピローゾーンＺｐに対応する枕高さ，推奨する商品名および調整シート６４ａ，６４ｂの有無をピローデータ記憶部３５から読み出す（ステップＳ１７０）。ピロー６０の高さ（枕高さ）は、寝姿勢ＳＰが仰向けの場合、図６および図９（ａ）に示すように、首の角度θｎが小（猫背なし）で且つ肥満度（ＢＭＩ）が小（痩せ）または中（標準）のとき、即ちピローゾーンＺｐがａ１またはｂ１のときには、調整シート６４ａ，６４ｂを使用しない「標準」が選択され、首の角度θｎが小（猫背なし）で且つ肥満度（ＢＭＩ）が大（肥満）であるか首の角度θｎが中（猫背やや有り）で且つ肥満度（ＢＭＩ）が小（痩せ）または中（標準）のとき、即ちピローゾーンＺｐがｃ１，ａ２またはｂ２のときには、５ｍｍの調整シート６４ａを１枚使用する「やや高め」が選択される。また、首の角度θｎが中（猫背やや有り）で且つ肥満度（ＢＭＩ）が大（肥満）であるか首の角度θｎが大（猫背有り）で且つ肥満度（ＢＭＩ）が小（痩せ）または中（標準）のとき、即ちピローゾーンＺｐがｃ２，ａ３またはｂ３のときいは、１０ｍｍの調整シート６４ｂを１枚使用する「やや高め」が選択され、首の角度θｎが大（猫背有り）で且つ肥満度（ＢＭＩ）が大（肥満）のとき、即ちピローゾーンＺｐがｃ３のときには、５ｍｍの調整シート６４ａと１０ｍｍの調整シート６４ｂとを１枚ずつ使用する「高め」が選択される。一方、寝姿勢ＳＰが横向きの場合、図６および図９（ｂ）に示すように、本実施形態では、同じ首の角度θｎと肥満度（ＢＭＩ）に対しては寝姿勢ＳＰが仰向けの場合と同じ枕高さが選択される。これは、寝姿勢ＳＰが横向きと判断した使用者Ｍであっても、実際は横寝よりも仰向け寝の時間の方が長く、ピロー６０の高さを仰向け寝に合わせた方が首の負担がより少ないと考えられることに基づく。勿論、寝姿勢ＳＰが横向きの場合に、同じ首の角度θｎと肥満度（ＢＭＩ）に対して仰向けの場合よりも高い枕高さを選択してもよい。
【００３３】
こうしてマットレス５０およびピロー６０について、クッション部材５４（支持層部素材）の硬さ，上カバー部材５６（表層部素材）の厚み，ピロー６０の高さおよびそれぞれの商品名などの情報とを読み出すと、読み出した情報が選定結果表示画面として表示装置４４に表示されるよう表示制御部３８を制御して（ステップＳ１８０）、選定処理を終了する。選定結果表示画面の一例を図１０に示す。図示するように、選定結果表示画面では、使用者Ｍの測定情報（ＢＭＩ値，寝姿勢ＳＰおよび背中の傾向）と、推奨するマットレス５０の上カバー部材５６（表層部）およびクッション部材５４（支持層部）の素材情報（表層素材の厚み，支持層部素材の硬さおよび商品名）と、推奨するピロー６０の高さ情報（商品名および調整シートの数）とが表示される。使用者Ｍは、選定結果表示画面の表示内容を参考にすることにより、快適な寝心地が得られるマットレス５０およびピロー６０を容易に見つけ出すことが可能となる。
【００３４】
以上説明した本実施形態のマットレス選定システム２０によれば、使用者Ｍの肥満度（ＢＭＩ）に基づいて複数種類のクッション部材５４（支持層部）のうちのいずれかを選択し、使用者Ｍの骨盤角度θｐに基づいて複数種類の上カバー部材５６（表層部）のうちのいずれかを選択する。このように、使用者Ｍの肥満度毎のクッション部材５４と、骨盤角度θｐ毎の上カバー部材５６とを別々に選択して両者を組み合わせることで、使用者Ｍにとってより適したマットレス５０の選定が可能となる。
【００３５】
また、本実施形態のマットレス選定システム２０では、上カバー部材５６（表層部素材）の厚みとして、骨盤角度θｐに基づいて反り腰の傾向が強いほど厚みが厚いものを選択するから、腰部が浮かず、腰部の負担の少ないマットレス５０を選定することができる。
【００３６】
さらに、本実施形態のマットレス選定システム２０では、ピロー６０の高さとして、首の角度θｎに基づいて猫背（前傾）の傾向が強いほど高さの高いものを選択するから、マットレス５０との組み合わせにより、使用者Ｍにより適した寝具を提供することができる。
【００３７】
また、本実施形態のマットレス選定システム２０では、クッション部材５４の硬さとして、寝姿勢ＳＰが横向きの場合には仰向けの場合に比して硬さが柔らかいものを選択するから仰向け寝と横寝とでそれぞれ専用のクッション部材を用意することなく、いずれの寝姿勢にも適切に対応することができる。
【００３８】
本実施形態では、使用者Mの体形（背中の凹凸）を非接触式の３次元計測装置２２を用いて測定するものとしたが、これに限定されるものではなく、他の如何なる計測装置を用いるものとしてもよいし、販売店のスタッフなどがメジャーを用いて計測し、キーボード４４などにより入力するものとしてもよい。
【００３９】
本実施形態では、使用者Ｍの身長と体重とに基づいて肥満度（ＢＭＩ）を計算し、計算した肥満度（ＢＭＩ）に基づいて硬さの異なる複数種類のベース部材５２のいずれかを選択するものとしたが、これに限定されるものではなく、使用者Ｍの体重に基づいて複数種類のベース部材５２のいずれかを選択してもよいし、更にベース部材５２の選択に異なる条件を追加してもよい。
【００４０】
本実施形態では、それぞれ異なる硬さのベースウレタン素材により形成された複数種類のベース部材５２を用意し、複数種類のベース部５２を適宜選択することでベース部５２とクッション部５４とを含む支持層部の硬さを変更するものとした。しかし、これに限定されるものではなく、それぞれ硬さの異なる複数種類のクッション部材５４を用意し、複数種類のクッション部材５４を適宜選択することで支持層部の硬さを変更してもよいし、それぞれ硬さの異なる複数種類のベース部材５２とそれぞれ硬さの異なるクッション部材５４との組み合わせにより支持層部を構成してもよい。これらの場合、クッション部材５４は、多数の柱状部材５４ｂによって構成されるものに限られず、発泡ウレタンなどにより単一の部材によって構成されてもよい。
【００４１】
本実施形態では、複数種類の上カバー部材５６は、それぞれ異なる厚みおよび素材により形成されたものを用いたが、同一の厚みで異なる素材により形成されたものを用いてもよいし、異なる厚みで同一の素材により形成されたものを用いてもよい。
【００４２】
本実施形態では、マットレス５０の選定と共にマットレス５０と組み合わせるピロー６０も選定するものとしたが、ピロー６０の選定は省略してもよい。
【００４３】
本実施形態では、マットレス５０（クッション部材５４および上カバー部材５６）の選定結果を表示装置４２に表示するものとしたが、紙に印刷してもよい。
【００４４】
実施形態の主要な要素と課題を解決するための手段の欄に記載した発明の主要な要素との対応関係について説明する。実施形態では、ベース部材５２とクッション部材５４とが「支持層部」に相当し、上カバー部材５６が「表層部」に相当し、入力部３２が「取得部」に相当し、選定部３６が「選択部」に相当し、表示制御部３８が「出力部」に相当する。
【００４５】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００４６】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００４７】
本発明は、マットレス選定システムの製造産業などに利用可能である。
【符号の説明】
【００４８】
２０  マットレス選定システム、２２  ３次元計測装置、３０  コンピュータ、３２  入力部、３４  マットレスデータ記憶部、３５  ピローデータ記憶部、３６  選定部、３８  表示制御部、４２  表示装置、４４  キーボード、５０  マットレス、５２  ベース部材、５２ａ  周縁部、５２ｂ  凹部、５４  クッション部材、５４ａ  台座部、５４ｂ  柱状部材、５６  上カバー部材、５８  下カバー部材、６０  ピロー、６２  ピロー本体、６４  スペーサ、６４ａ，６４ｂ  調整シート。
【図１】
2019136322.tif 000003
【図２】
2019136322.tif 000004
【図３】
2019136322.tif 000005
【図４】
2019136322.tif 000006
【図５】
2019136322.tif 000007
【図６】
2019136322.tif 000008
【図７】
2019136322.tif 000009
【図８】
2019136322.tif 000010
【図９】
2019136322.tif 000011
【図１０】
2019136322.tif 000012